(57)【特許請求の範囲】
【請求項１】
濾過ユニットを複数段備え、隣接する濾過ユニット同士を連結配管で連結し、前段の濾過ユニットの濃縮水を前記連結配管を経て後段の濾過ユニットへ原水として導くよう構成され、
最前段の濾過ユニットに原水を供給する原水供給管と前記連結管を用いて洗浄水を最前段又は最後段の濾過ユニット、洗浄が終了した段の濾過ユニットと次に洗浄に供される濾過ユニットへと順次供給することによって各濾過ユニット毎に洗浄を順次行う洗浄手段を設けて成る膜分離装置において、
前記濾過ユニットを、その内部での原水と洗浄水の流れ方向が上下方向となるよう配置するとともに、全濾過ユニットにおいて原水と洗浄水の流れ方向が上下方向において同じになるよう前記連結配管を接続したことを特徴とする膜分離装置。
【請求項２】
前記各濾過ユニットに洗浄流体を導入するための洗浄流体供給管と、各濾過ユニットの洗浄に供された洗浄廃流体を各濾過ユニットから系外に排出するための洗浄廃流体排出管を各濾過ユニット毎に設けたことを特徴とする請求項１記載の膜分離装置。
【請求項３】
洗浄ガス供給源から分岐して前記原水供給管及び前記連結配管に接続された分岐管と、各分岐管に設けられた開閉弁によって構成され、各濾過ユニットに洗浄ガスを供給する洗浄ガス供給手段を設けたことを特徴とする請求項１又は２記載の膜分離装置。
【発明の詳細な説明】
【技術分野】
【０００１】
本発明は、複数段の濾過ユニットと各濾過ユニットを洗浄する洗浄手段を備えた膜分離装置に関するものである。
【背景技術】
【０００２】
図６に従来の膜分離装置の基本構成を示すが、図示の膜分離装置は、２段の濾過ユニット１’，２’を備え、前段の濾過ユニット１’からの濃縮水を連結配管３’によって後段の濾過ユニット２’の原水として利用するよう構成されている（特許文献１参照）。ここで、各濾過ユニット１’，２’は、スパイラル型膜モジュール４’を円筒状の耐圧容器５’内に同軸的に収容して構成されており、膜モジュール４’の軸線方向が上下となるよう配置されている。尚、図示例では、各集水管６’の透過水取出口が各濾過ユニット１’，２’の上端側になるよう配置されている。
【０００３】
而して、原水は、原水ポンプ７’によって原水供給管８’から前段の濾過ユニット１’の下端に導入され、該濾過ユニット１’の膜モジュール４’によって膜分離処理を受け、透過水は、集水管６’内に流入し、配管９’，１０’を経て取り出される。
【０００４】
他方、濃縮水は、濾過ユニット１’，２’の上部同士を連結している前記連結配管３’を通って後段の濾過ユニット２’の上端側に導入され、該濾過ユニット２’の膜モジュール４’によって膜分離処理を受ける。そして、この後段の濾過ユニット２’においては、透過水は、集水管６’から配管１１’及び透過水取出用配管１０’を経て取り出され、濃縮水は、濾過ユニット２’の下端に接続された濃縮水取出用配管１２’から排出される。
【０００５】
ところで、前記連結配管３’には洗浄流体供給用の配管１３’が接続されており、この配管１３’には、空気供給用配管１４’と洗浄水供給用配管１５’及び洗浄薬液供給用配管１６’が接続されており、これらの配管１４’，１５’，１６’には開閉弁Ｖ１’，Ｖ２’，Ｖ３’がそれぞれ設けられている。
【０００６】
他方、原水供給管８’からは洗浄流体排出用の配管１７’が分岐しており、この配管１７’には開閉弁Ｖ４’が設けられている。又、後段の濾過ユニット２’から延出する濃縮水排出用配管１２’からは洗浄廃流体排出用の配管１８’が分岐しており、この配管１８’の途中には開閉弁Ｖ５’が設けられている。
【０００７】
而して、以上の構成を有する膜分離装置においては、原水中に含まれる懸濁成分（ＳＳ成分）が通水運転時間の経過と共に各濾過ユニット１’，２’の膜モジュール４’に付着してその分離性能の低下等を招くため、水フラッシング、薬液洗浄、空気洗浄等によって各膜モジュール４’が定期的に又は随時に洗浄される。
【０００８】
即ち、洗浄に際しては、開閉弁Ｖ１’，Ｖ２’，Ｖ３’に何れか１つ又は２つ以上が開かれるとともに、開閉弁Ｖ４’，Ｖ５’が開かれ、洗浄空気、洗浄水、洗浄薬液の１又は２以上が配管１３’から連結配管３’を経て各濾過ユニット１’，２’に供給されて各膜モジュール４’の洗浄に供された後、配管１７’，１８’から排出される。
【発明の開示】
【発明が解決しようとする課題】
【０００９】
ところが、上記従来の膜分離装置においては、縦型に配置した前後２段の濾過ユニット１’，２’の上端側同士を連結配管３’で連結する構成が採用されているため、膜分離処理時の濾過ユニット１’，２’での原水の流れ方向が互いに逆方向となる。
【００１０】
従って、原水に含まれる粗大な濁質により前段の濾過ユニット１’の入口端面で詰まりが発生するような場合には、前後段の濾過ユニット１’，２’において詰まりが発生する箇所が上下逆となる。このため、各濾過ユニット１’，２’に対して同一方向（図６では上方から下方）に洗浄流体を流すと、両濾過ユニット１’，２’で均一な洗浄効果を得ることができない。特に、洗浄流体として洗浄ガスを併用する場合には、ガスの粘性が水の粘性よりも低いことに起因して片流れ等の偏流が生じ易く、両濾過ユニット１’，２’で均一な洗浄効果を得ることが益々困難となる。
【００１１】
本発明は上記問題に鑑みてなされたもので、その目的とする処は、各濾過ユニットにおいて均一な洗浄効果を得ることができる膜分離装置を提供することにある。
【課題を解決するための手段】
【００１２】
上記目的を達成するため、請求項１記載の発明は、
濾過ユニットを複数段備え、隣接する濾過ユニット同士を連結配管で連結し、前段の濾過ユニットの濃縮水を前記連結配管を経て後段の濾過ユニットへ原水として導くよう構成され、
最前段の濾過ユニットに原水を供給する原水供給管と前記連結管を用いて洗浄水を最前段又は最後段の濾過ユニット、洗浄が終了した段の濾過ユニットと次に洗浄に供される濾過ユニットへと順次供給することによって各濾過ユニット毎に洗浄を順次行う洗浄手段を設けて成る膜分離装置において、
前記濾過ユニットを、その内部での原水と洗浄水の流れ方向が上下方向となるよう配置するとともに、全濾過ユニットにおいて原水と洗浄水の流れ方向が上下方向において同じになるよう前記連結配管を接続したことを特徴とする。
【００１３】
請求項２記載の発明は、請求項１記載の発明において、前記各濾過ユニットに洗浄流体を導入するための洗浄流体供給管と、各濾過ユニットの洗浄に供された洗浄廃流体を各濾過ユニットから系外に排出するための洗浄廃流体排出管を各濾過ユニット毎に設けたことを特徴とする。又、請求項３記載の発明は、請求項１又は２記載の発明において、洗浄ガス供給源から分岐して前記原水供給管及び前記連結配管に接続された分岐管と、各分岐管に設けられた開閉弁によって構成され、各濾過ユニットに洗浄ガスを供給する洗浄ガス供給手段を設けたことを特徴とする。
【発明の効果】
【００１４】
請求項１記載の発明によれば、全濾過ユニットにおいて原水の流れ方向が上下方向において同じとなるため、各濾過ユニットにおいて被処理水中に含まれる濁質等を原因とする詰まりが発生する箇所が上下同じとなり、従来のように上下逆となるようなことがなく、従って、連結配管を経て各濾過ユニットを同じ方向に流れる洗浄水によって各濾過ユニットが各々洗浄され、その洗浄効果が各濾過ユニットについて均一となる。
【００１５】
請求項２記載の発明によれば、各濾過ユニットに洗浄流体を導入するための洗浄流体供給管と、各濾過ユニットの洗浄に供された洗浄廃流体を各濾過ユニットから系外に排出するための洗浄廃流体排出管を各濾過ユニット毎に設けたため、洗浄を各濾過ユニット毎に効果的に行うことができる。又、請求項３記載の発明によれば、洗浄時には各濾過ユニット内に洗浄水と洗浄ガスによる気液混合流が発生し、粘性の異なる気液が交互に分離膜の面を通過することによって、分離膜の面に付着した堆積物に振動が与えられ、この振動によって堆積物の剥離効果が高められるため、分離膜の面に付着した堆積物が確実に除去されて分離膜が効果的に洗浄される。
【発明を実施するための最良の形態】
【００１６】
以下に本発明の実施の形態を添付図面に基づいて説明する。
［膜分離装置の構成］
図１は本発明に係る膜分離装置の基本構成図であり、図示の膜分離装置は、３段の濾過ユニット１，２，３を備え、第１段（最前段）の濾過ユニット１からの濃縮水を連結配管４によって第２段の濾過ユニット２の原水として利用し、第２段の濾過ユニット２からの濃縮水を連結配管５によって第３段（最後段）の濾過ユニット３の原水として利用するよう構成されている。
【００１７】
上記各濾過ユニット１，２，３は、内部が分離膜６によって一次側の給水室Ｓ１と二次側の透過水室Ｓ２とに区画されており、第１段の濾過ユニット１の給水室Ｓ１の下部には原水供給管７が接続され、該原水供給管７には原水ポンプ８が設けられている。
【００１８】
而して、各濾過ユニット１，２，３は、その内部での原水（濃縮水）の流れ方向が上下方向となるよう配置され、全濾過ユニット１，２，３において原水（濃縮水）の流れ方向が上下方向において同じになるよう前記連結配管４，５が接続されている。即ち、各濾過ユニット１，２，３は、下端側が入口側、上端側が出口側となるよう配置されており、第１段の濾過ユニット１の給水室Ｓ１の上部（出口）からは連結配管４が導出しており、この連結配管４は、第２段の濾過ユニット２の給水室Ｓ１の下部（入口）に接続されている。尚、第１段の濾過ユニット１の透過水室Ｓ２からは透過水配管９が導出している。
【００１９】
又、第２段の濾過ユニット２においては、給水室Ｓ１の上部（出口）からは連結配管５が導出しており、この連結配管５は、第３段の濾過ユニット３の給水室Ｓ１の下部（入口）に接続されている。尚、透過水室Ｓ２からは透過水配管１０が導出している。
【００２０】
更に、第３の濾過ユニット３おいては、給水室Ｓ１の上部（出口）からは排水管１２が導出しており、この排水管１２の途中には開閉弁Ｖ２が設けられている。尚、透過水室Ｓ２からは透過水配管１１が導出している。
【００２１】
ここで、各濾過ユニット１，２，３の透過水室Ｓ２からそれぞれ導出する透過水配管９，１０，１１は１本の透過水配管１４に合流しており、この透過水配管１４の透過水配管１１合流点よりも下流側には開閉弁Ｖ１が設けられている。
【００２２】
又、前記連結配管４，５及び排水管１２からは分岐管１５，１６，１７がそれぞれ分岐しており、これらの分岐管１５，１６，１７は、洗浄廃流体排出管としての１本の洗浄廃水管１８に合流している。そして、各分岐管１５，１６，１７には開閉弁Ｖ３，Ｖ４，Ｖ５がそれぞれ設けられいる。
【００２３】
尚、各濾過ユニット１，２，３の形式は特に限定されず、中空糸、管状、スパイラル形式等の任意のものを使用することができる。又、分離膜６の種類も特に限定されず、ＭＦ膜（精密濾過膜）、ＵＦ膜（限外濾過膜）、ＮＦ膜（ナノ濾過膜）、ＲＯ膜（逆浸透膜）等の任意のものを使用することができる。
【００２４】
而して、以上説明した原水供給管７と原水ポンプ８及び連結配管４，５は、洗浄水を第１段の濾過ユニット１から第２の濾過ユニット２、第３の濾過ユニット３へと順次供給する洗浄水供給手段を構成している。又、前記分岐管１５，１６，１７と洗浄廃水管１８、排水管１２及び開閉弁Ｖ３，Ｖ４，Ｖ５は、各濾過ユニット１，２，３の洗浄に供された洗浄水と洗浄空気を洗浄廃流体として各濾過ユニット１，２，３から排出する洗浄廃水排出手段を構成している。
【００２５】
他方、不図示の洗浄空気供給源から延びる洗浄ガス供給管としての洗浄空気管１９からは３つ分岐管２０，２１，２２が分岐しており、図示のように、分岐管２０は原水供給管７に接続され、分岐管２１，２２は、連結配管４，５にそれぞれ接続されている。そして、各分岐管２０，２１，２２には開閉弁Ｖ６，Ｖ７，Ｖ８がそれぞれ設けられている。
【００２６】
而して、上記洗浄空気管１９と、分岐管２０，２１，２２及び開閉弁Ｖ６，Ｖ７，Ｖ８は、各濾過ユニット１，２，３に洗浄空気を供給する洗浄ガス供給手段を構成している。
【００２７】
尚、洗浄水供給配管が別途必要となるが、洗浄ガス供給管と同様に、各濾過ユニット１，２，３に洗浄水を供給するための手段を設けても良い。
［膜分離処理］
次に、以上の構成を有する膜分離装置において実施される原水の膜分離処理を図２に基づいて説明する。尚、図２に示す開閉弁Ｖ１〜Ｖ８の白抜き表示は「開」を示し、黒塗り表示は「閉」を示す。
【００２８】
膜分離処理時には、図２に示すように、開閉弁Ｖ１とＶ２を開とし、他の全ての開閉弁Ｖ３〜Ｖ８を閉とした上で、原水ポンプ８を駆動する。
【００２９】
すると、原水が原水供給管７から第１段の濾過ユニット１へと導入されて該濾過ユニット１内を上方へ向かって流れ、その過程で分離膜６によって膜分離処理を受ける。そして、透過水は、透過水室Ｓ２から透過水配管９，１４を経て取り出され、濃縮水は、給水室Ｓ１から連結配管４を通って第２段の濾過ユニット２に導入されて該濾過ユニット２の原水として利用される。即ち、第１段の濾過ユニット１からの濃縮水は、連結配管４から第２段の濾過ユニット２へと導入されて該濾過ユニット２内を上方へ向かって流れ、その過程で分離膜６によって膜分離処理を受ける。そして、透過水は、透過水室Ｓ２から透過水配管１０，１４を経て取り出され、濃縮水は、給水室Ｓ１から連結配管５を通って第３段の濾過ユニット３に導入されて該濾過ユニット３の原水として利用される。
【００３０】
そして、第２段の濾過ユニット２からの濃縮水は、連結配管５から第３段の濾過ユニット３へと導入されて該濾過ユニット３内を上方へ向かって流れ、その過程で分離膜６によって膜分離処理を受ける。そして、透過水は、透過水室Ｓ２から透過水配管１１，１４を経て取り出され、濃縮水は、給水室Ｓ１から廃水管１２を通って排水される。
【００３１】
ところで、上記膜分離処理が継続的に行われると、原水中に含まれる懸濁（ＳＳ）成分によって各濾過ユニット１，２，３の分離膜６が汚染され、その分離性能が低下したり、圧力損失の増加を招くため、各濾過ユニット１，２，３の分離膜６を定期的に又は随時に洗浄する必要がある。
［洗浄方法］
以下、各濾過ユニット１，２，３の洗浄方法を図３〜図５に基づいて説明する。尚、図３〜図５は本発明に係る膜分離装置の各濾過ユニット毎の洗浄を示す基本構成図であり、これらの図においても、図２と同様に開閉弁Ｖ１〜Ｖ８の白抜き表示は「開」を示し、黒塗り表示は「閉」を示す。
【００３２】
本実施の形態において実施される洗浄方法は、洗浄水と洗浄空気を最前段の第１段の濾過ユニット１から次の段の濾過ユニット２，３へと順次供給することによって、各濾過ユニット１，２，３毎に洗浄を順次行うことを特徴としている。
【００３３】
而して、本実施の形態では、洗浄水として原水を用い、洗浄には洗浄水と洗浄空気を各濾過ユニット１，２，３に順次供給し、各濾過ユニット１，２，３の洗浄を洗浄水と洗浄空気との気液混合流によって行うようにしている。以下、各濾過ユニット１，２，３の洗浄方法について説明する。
【００３４】
１）第１段の濾過ユニット：
洗浄に際しては、先ず、最前段の第１段の濾過ユニット１に対して洗浄が実施され、この第１段の濾過ユニット１の洗浄に際しては、図３に示すように、開閉弁Ｖ３，Ｖ６を開、他の開閉弁Ｖ１，Ｖ２，Ｖ４，Ｖ５，Ｖ７，Ｖ８が閉とした上で、原水ポンプ８を駆動する。すると、洗浄水としての原水が原水供給管７から第１段の濾過ユニット１へと導入される。
【００３５】
又、同時に不図示の洗浄空気供給源から供給される洗浄空気は、洗浄空気管１９から分岐管２０へと流れて第１段の濾過ユニット１へと導入される。
【００３６】
従って、第１段の濾過ユニット１内には洗浄水と洗浄空気による気液混合流が発生し、この気液混合流は濾過ユニット１内を上方に向かって流れ、粘性の異なる気液が交互に分離膜６の面を通過することによって、分離膜６の面に付着した堆積物に振動が与えられ、この振動によって堆積物の剥離効果が高められる。この結果、分離膜６の面に付着した堆積物が確実に除去され、分離膜６が効果的に洗浄される。そして、分離膜６の洗浄に供された洗浄水と洗浄空気は、連結管４から分岐管１５及び洗浄廃水管１８を通って第２段及び第３段の濾過ユニット２，３をバイパスして排水管１２へと流れ、下水へと排水される。
【００３７】
２）第２段の濾過ユニット：
上述のようにして第１段の濾過ユニット１の洗浄が終了すると、次に第２段の濾過ユニット２の洗浄が行われる。この第２段の濾過ユニット２の洗浄に際しては、図４に示すように、開閉弁Ｖ３とＶ６が閉じられ、開閉弁Ｖ４とＶ７が開けられ、他の開閉弁Ｖ１，Ｖ２，Ｖ５，Ｖ８はそのまま閉じられた状態に保持される。すると、洗浄水としての原水が原水供給管７から第１段の濾過ユニット１を通過して連結配管４を流れ、第２段の濾過ユニット２へと導入される。
【００３８】
又、同時に不図示の洗浄空気供給源から供給される洗浄空気は、洗浄空気管１９から分岐管２１へと流れて第２段の濾過ユニット２へと導入される。
【００３９】
従って、第２段の濾過ユニット２内には洗浄水と洗浄空気による気液混合流が発生し、この気液混合流は濾過ユニット２内を上方に向かって流れ、濾過ユニット２の分離膜６が気液混合流によって洗浄される。そして、分離膜６の洗浄に供された洗浄水と洗浄空気は、連結配管５から分岐管１６及び洗浄廃水管１８を通って第３段の濾過ユニット３をバイパスして排水管１２へと流れ、下水へと排水される。
【００４０】
而して、この第２段の濾過ユニット２の洗浄においては、前段の第１の濾過ユニット１の洗浄は既に終了しており、洗浄水が第１段の濾過ユニット１を通過して第２段の濾過ユニット２に供給されても、第１段の濾過ユニット１からの汚れ成分が第２段の濾過ユニット２へと持ち越されて流入することはない。
【００４１】
２）第３段の濾過ユニット：
上述のようにして第２段の濾過ユニット２の洗浄が終了すると、次に最終段である第３段の濾過ユニット３の洗浄が行われる。この第３段の濾過ユニット３の洗浄に際しては、図５に示すように、開閉弁Ｖ４とＶ７が閉じられ、開閉弁Ｖ５とＶ８が開けられ、他の開閉弁Ｖ１〜Ｖ３，Ｖ６はそのまま閉じられた状態に保持される。すると、洗浄水としての原水が原水供給管７から第１段の濾過ユニット１、連結配管４、第２段の濾過ユニット２を通過して連結配管５を流れ、第３段の濾過ユニット３へと導入される。
【００４２】
又、同時に不図示の洗浄空気供給源から供給される洗浄空気は、洗浄空気管１９から分岐管２２へと流れて第３段の濾過ユニット３へと導入される。
【００４３】
従って、第３段の濾過ユニット３内には洗浄水と洗浄空気による気液混合流が発生し、この気液混合流は濾過ユニット３内を上方に向かって流れ、濾過ユニット３の分離膜６が気液混合流によって洗浄される。そして、分離膜６の洗浄に供された洗浄水と洗浄空気は、排水管１２から分岐管１７及び洗浄廃水管１８を通って排水される。
【００４４】
而して、この第３段の濾過ユニット３の洗浄においても、前段の第１及び第２の濾過ユニット１，２の洗浄は既に終了しており、洗浄水が第１段及び第２段の濾過ユニット１，２を通過して第３段の濾過ユニット３に供給されても、第１段及び第２段の濾過ユニット１，２からの汚れ成分が第３段の濾過ユニット３へと持ち越されて流入することはない。
【００４５】
以上のように、本実施の形態に係る膜分離装置においては、全濾過ユニット１，２，３において原水（濃縮水）の流れ方向が上下方向において同じ（本実施の形態では、上方に向かう流れ）となるため、各濾過ユニット１，２，３の洗浄を行う際、原水に含まれる粗大な濁質により前段の濾過ユニット１（２）の入口端面で詰まりが発生した場合であっても、各濾過ユニット１，２，３において詰まりが発生する箇所が上下同じとなり、従来のように上下逆となるようなことがなく、従って、連結配管４，５を経て各濾過ユニット１，２，３を同じ方向に流れる洗浄水と洗浄空気の気液混合流によって各濾過ユニット１，２，３が各々洗浄され、その洗浄効果が各濾過ユニット１，２，３について均一となる。
【００４６】
又、本実施の形態において用いた洗浄方法によれば、洗浄水と洗浄空気を最前段の第１段の濾過ユニット１からそれに続く次の段の濾過ユニット２，３へと順次供給することによって、各濾過ユニット１，２，３毎に洗浄を順次行うようにしたため、膜分離時に使用される原水供給ラインである原水供給管７と連結配管４，５を洗浄時の洗浄水供給ラインとして共用することができ、この結果、配管構造が簡素化されて膜分離装置の小型化が図られる。
【００４７】
更に、本実施の形態では、洗浄水として原水をそのまま用いるため、専用の洗浄水が不要となり、洗浄を低コストで行うことができる。
【００４８】
又、本実施の形態では、各濾過ユニット１，２，３の洗浄を洗浄水と洗浄空気との気液混合流によって行うようにしたため、粘性の異なる気液が交互に分離膜６の面を通過することによって、分離膜６の面に付着した堆積物に振動が与えられ、この振動によって堆積物の剥離効果が高められ、この結果、分離膜６の面に付着した堆積物が確実に除去されて分離膜６が効果的に洗浄される。
【００４９】
尚、本実施の形態では、洗浄水と洗浄空気を最前段の第１段の濾過ユニット１から次の段の濾過ユニット２，３へと順次供給することによって、各濾過ユニット１，２，３をこの順に個別に洗浄する方式を採用したが、洗浄水と洗浄空気を最後段の第３段の濾過ユニット３からこれよりも前段の濾過ユニット２，１へと順次供給することによって、各濾過ユニット３，２，１をこの順に個別に洗浄する方式を採用しても良い。
【００５０】
又、本実施の形態では、洗浄流体として洗浄水と洗浄空気を併用する洗浄方法を採用したが、洗浄方法としては以下の方法が考えられる。
【００５１】
１）洗浄ガスのみを供給し、この洗浄ガスと濾過ユニット内の保有水との混合によって気液混相状態として洗浄する方法
２）濾過ユニットの水抜きを実施した後、洗浄ガスを供給し、濾過ユニット内に僅かに残存した保有水との混合により気液洗浄（気液比を大きくした洗浄）し、最後に洗浄液を供給して汚れ成分を押し出してこれを除去する方法
３）洗浄ガスと洗浄液とを同時に供給し、気液混相状態にて洗浄する方法
尚、このように気液混相流で膜面を洗浄する方法を採用する場合には、水平に膜を配置した場合に膜面を均一に洗浄することが困難なスパイラル形式の膜モジュールに本発明を好適に採用することができる。
【００５２】
ところで、洗浄流体として洗浄水と洗浄空気を併用する洗浄方法においては、気液比には特に制限はなく、好ましくは液相の流量を通水時の流量の２倍以上、気相の流量も通水時の液流量の２倍以上とし、気液比を２：１〜１：２とする。
【００５３】
又、洗浄ガスにも特に制限はなく、空気はコンプレッサーを用いるだけで良いためにガスボンベ等の準備が不要なことから好適に用いることができる。洗浄液にも特に制限はなく、ＲＯ給水を洗浄液として用いても良い。
【００５４】
更に、洗浄時の洗浄流体の流れ方向にも特に制限はなく、膜分離処理時と同方向である順方向、或は逆方向に流す方法、更には順方向と逆方向に交互に流す方法を採用することができる。
【００５５】
又、気液洗浄の実施時間についても特に制限はないが、洗浄時間が長ければ長い程、気液洗浄に用いる水量（排水する水量）が増えて水回収率が低下することとなる。気液洗浄時の流量にもよるが、洗浄時間は１０秒〜５分程度が望ましい。気液洗浄の実施頻度についても特に制限はないが、実施頻度の増加は、前述の実施時間と同様に水回収率の低下を招くため、３０分〜数日に１回程度の実施頻度が好ましい。
【図面の簡単な説明】
【００５６】
【図１】本発明に係る膜分離装置の基本構成図である。
【図２】本発明に係る膜分離装置の膜分離処理を示す基本構成図である。
【図３】本発明に係る膜分離装置の各濾過ユニット毎の洗浄（第１段の濾過ユニットの洗浄）を示す基本構成図である。
【図４】本発明に係る膜分離装置の各濾過ユニット毎の洗浄（第２段の濾過ユニットの洗浄）を示す基本構成図である。
【図５】本発明に係る膜分離装置の各濾過ユニット毎の洗浄（第３段の濾過ユニットの洗浄）を示す基本構成図である。
【図６】従来の膜分離装置の基本構成図である。
【符号の説明】
【００５７】
１〜３      濾過ユニット
４，５      連結配管
６          分離膜
７          原水供給管
８          原水ポンプ
９〜１１    透過水配管
１２        排水管
１４        透過水配管
１５〜１７  分岐管
１８        洗浄廃水管（洗浄廃流体排出管）
１９        洗浄空気管（洗浄ガス供給管）
２０〜２２  分岐管
Ｓ１        給水室
Ｓ２        透過水室
Ｖ１〜Ｖ８  開閉弁
【図１】
0005141855.tif 000002
【図２】
0005141855.tif 000003
【図３】
0005141855.tif 000004
【図４】
0005141855.tif 000005
【図５】
0005141855.tif 000006
【図６】
0005141855.tif 000007